(57)【要約】【課題】設置作業を容易に行うことができ、利便性を向上させることができるエレベータ用電波中継装置及びエレベータ用電波中継装置の設置方法の提供。【解決手段】昇降路２０内を昇降する乗かご１５と、この乗かご１５が着床する乗場に設けられた出入口２１と、この出入口２１に開閉可能に設けられた乗場ドア５とを備えたエレベータに適用され、昇降路２０の内部と外部との間の通信を中継する通信手段を備え、この通信手段は、昇降路２０の内部に設けられ、昇降路２０の内部から電波を受信すると共に、昇降路２０の内部へ電波を送信する内部電波送受信手段４と、昇降路２０の外部に設けられ、昇降路２０の外部から電波を受信すると共に、昇降路２０の外部へ電波を送信する外部電波送受信手段２と、乗場ドア５が閉扉した際に乗場ドア５に挟持されるように寸法が設定され、各電波送受信手段２，４を接続するケーブル１４とを有する。【選択図】図２
2013035626.tif 000002
【特許請求の範囲】
【請求項１】
昇降路と、この昇降路内を昇降する乗かごと、この乗かごが着床する乗場に設けられた出入口と、この出入口に開閉可能に設けられ、前記昇降路の内部と外部を区画する乗場ドアとを備えたエレベータに適用され、前記昇降路の内部と外部との間の通信を中継する通信手段を備えたエレベータ用電波中継装置において、
前記通信手段は、
前記昇降路の内部に設けられ、前記昇降路の内部から電波を受信すると共に、前記昇降路の内部へ電波を送信する内部電波送受信手段と、
前記昇降路の外部に設けられ、前記昇降路の外部から電波を受信すると共に、前記昇降路の外部へ電波を送信する外部電波送受信手段と、
前記乗場ドアが閉扉した際に前記乗場ドアに挟持されるように寸法が設定され、前記内部電波送受信手段と前記外部電波送受信手段とを接続するケーブルとを有することを特徴とするエレベータ用電波中継装置。
【請求項２】
請求項１に記載のエレベータ用電波中継装置において、
前記通信手段は、前記乗場ドアの両側に前記内部電波送受信手段と前記外部電波送受信手段を取付ける取付手段を有し、
前記内部電波送受信手段は、前記乗場ドアと前記乗かごとの間の間隔よりも小さい大きさに設定されたことを特徴とするエレベータ用電波中継装置。
【請求項３】
請求項２に記載のエレベータ用電波中継装置において、
前記取付手段は、
前記内部電波送受信手段に設けられた第１の磁石と、
前記外部電波送受信手段に設けられ、前記乗場ドアを挟んで前記第１の磁石と対向する位置に配置された第２の磁石とから成ることを特徴とするエレベータ用電波中継装置。
【請求項４】
請求項２に記載のエレベータ用電波中継装置において、
前記取付手段は、
前記乗場ドアに設けられた雌螺子と、
前記内部電波送受信手段と前記外部電波送受信手段とを一体に繋ぐ固定具と、
この固定具に穿設された貫通孔と、
この貫通孔に挿通され、前記雌螺子に螺合する雄螺子が形成された螺子とから成ることを特徴とするエレベータ用電波中継装置。
【請求項５】
昇降路と、この昇降路内を昇降する乗かごと、この乗かごが着床する乗場に設けられた出入口と、この出入口に開閉可能に設けられ、前記昇降路の内部と外部を区画する乗場ドアとを備えたエレベータに適用され、前記昇降路の内部と外部との間の通信を中継する通信手段を備え、この通信手段は、前記昇降路の内部に設けられ、前記昇降路の内部から電波を受信すると共に、前記昇降路の内部へ電波を送信する内部電波送受信手段と、前記昇降路の外部に設けられ、前記昇降路の外部から電波を受信すると共に、前記昇降路の外部へ電波を送信する外部電波送受信手段と、前記乗場ドアが閉扉した際に前記乗場ドアに挟持されるように寸法が設定され、前記内部電波送受信手段と前記外部電波送受信手段とを接続するケーブルとを有するエレベータ用電波中継装置を設置するエレベータ用電波中継装置の設置方法において、
前記内部電波送受信手段を前記昇降路の内部に配置すると共に、前記外部電波送受信手段を前記昇降路の外部に配置する配置工程と、
前記内部電波送受信手段及び前記外部電波送受信手段が配置された後に、前記ケーブルを前記出入口に通すと共に、前記ケーブルを前記内部電波送受信手段及び前記外部電波送受信手段に接続する接続工程と、
前記内部電波送受信手段及び前記外部電波送受信手段が接続された後に、前記乗場ドアを閉じて前記ケーブルを挟持させる挟持工程とを備えたことを特徴とするエレベータ用電波中継装置の設置方法。
【発明の詳細な説明】
【技術分野】
【０００１】
本発明は、昇降路の内部と外部との間の通信を中継する通信手段を備えたエレベータ用電波中継装置及びエレベータ用電波中継装置の設置方法に関する。
【背景技術】
【０００２】
従来、エレベータの利用者が乗かごの内部において携帯電話、ＰＨＳ等の携帯端末を用い、乗かごの外部の携帯電話、ＰＨＳ、及び一般家庭用固定電話機等の外部電話機へ電話をかけようとした場合、乗かご自体が鉄製で構成されていることから携帯端末からの電波が鉄板により遮られ、携帯端末のうちほとんどが電波の届かない通話圏外になるか、あるいは通話圏外にならなくても非常に電波が弱くなり、携帯端末の無線通信回線を確立し難い状態となる。
【０００３】
そこで、乗かごの内部において携帯端末の無線通信回線を確立するために、建物外部の公衆回線網に接続された基地局との間で電波の送受信が可能な場所に取付けられた外部アンテナと、この外部アンテナからテールコードを介して接続された乗かご内に取付けられたかご内アンテナとを備え、乗かご内の携帯端末と建物外部の電話機との間で通話可能にした携帯端末使用可能なエレベータが提案されている（例えば、特許文献１参照）。
【０００４】
また、他の従来技術の１つとして、２つのアンテナ、同軸ケーブル及びコネクタ等からなり、２つのアンテナのうち少なくとも１つをアンテナボックス内に設けることにより、電波を遮蔽する床、壁、間仕切等の建屋内電波遮蔽物の両側の通信を可能にする建屋内無電源電波中継器も提案されている（例えば、特許文献２参照）。
【先行技術文献】
【特許文献】
【０００５】
【特許文献１】特開２００５−２１３０３２号公報
【特許文献２】特開平１１−３１３０２２号公報
【発明の概要】
【発明が解決しようとする課題】
【０００６】
しかし、上述した特許文献１に開示された従来技術の携帯端末使用可能なエレベータでは、乗かご内にかご内アンテナを設置する他に、かご内アンテナに一端が接続されるテールコードを新たに設けたり、さらにテールコードの他端が接続される中継箱を設置する必要があり、これらのテールコード及び中継箱の設置作業に時間と手間がかかることが問題となっている。また、特許文献２に開示された従来技術の建屋内無電源電波中継器では、建屋内電波遮蔽物、例えば昇降路の内部と外部にそれぞれ設置される２つのアンテナを同軸ケーブル及びコネクタ等で接続するために、昇降路に同軸ケーブルを通す貫通孔を設ける必要があり、各アンテナ及び同軸ケーブルの接続作業が煩雑となっている。
【０００７】
なお、エレベータに設置された上述の建屋内無電源電波中継器の使用中にアンテナの設置場所の電波状態が悪くなった場合には、アンテナの設置位置を変更することに伴い、同軸ケーブルを延設したり、あるいは昇降路に新たに貫通孔を設ける作業が必要になる。この場合、当該作業が作業者の負担になるだけでなく、当該作業を行うために既設のエレベータの運転を停止することになるので、昇降路の内部と外部との間の通信接続が完了するまでの間、エレベータを使用することができず、エレベータの利便性が低下する虞がある。
【０００８】
本発明は、このような従来技術の実情からなされたもので、その目的は、設置作業を容易に行うことができ、利便性を向上させることができるエレベータ用電波中継装置及びエレベータ用電波中継装置の設置方法を提供することにある。
【課題を解決するための手段】
【０００９】
上記の目的を達成するために、本発明のエレベータ用電波中継装置は、昇降路と、この昇降路内を昇降する乗かごと、この乗かごが着床する乗場に設けられた出入口と、この出入口に開閉可能に設けられ、前記昇降路の内部と外部を区画する乗場ドアとを備えたエレベータに適用され、前記昇降路の内部と外部との間の通信を中継する通信手段を備えたエレベータ用電波中継装置において、前記通信手段は、前記昇降路の内部に設けられ、前記昇降路の内部から電波を受信すると共に、前記昇降路の内部へ電波を送信する内部電波送受信手段と、前記昇降路の外部に設けられ、前記昇降路の外部から電波を受信すると共に、前記昇降路の外部へ電波を送信する外部電波送受信手段と、前記乗場ドアが閉扉した際に前記乗場ドアに挟持されるように寸法が設定され、前記内部電波送受信手段と前記外部電波送受信手段とを接続するケーブルとを有することを特徴としている。
【００１０】
このように構成した本発明は、昇降路の内部に内部電波送受信手段を設けると共に、昇降路の外部に外部電波送受信手段を設け、これらの内部電波送受信手段と外部電波送受信手段とを接続するケーブルの寸法を、乗場ドアが閉扉した際に当該ケーブルが乗場ドアに挟持されるように設定しているので、各電波送受信手段に接続されたケーブルを閉扉した乗場ドアで挟み込むように設けることにより、昇降路にケーブルを通す貫通孔を設けなくてもケーブルを乗場ドアで固定した状態で昇降路の内部と外部との間に挿通させることができ、設置作業にかかる時間と手間を省くことができる。
【００１１】
また、各電波送受信手段及びケーブルをエレベータに設置した後であっても、乗場ドアを開くことによって挟持されていたケーブルを開放することにより、各電波送受信手段の電波状態を確認しながら各電波送受信手段の設置場所を自由に変更したり、あるいはケーブルの状態を確認できるので、電波送受信手段の電波状態の調整作業やケーブルの交換作業等のメンテナンス作業における作業性を高めることができる。これにより、メンテナンス作業においてエレベータの運転を停止する時間を短く抑えることができ、作業者及び乗客に対する高い利便性を確保することができる。このように、設置作業を容易に行うことができ、利便性を向上させることができる。
【００１２】
また、本発明に係るエレベータ用電波中継装置は、前記発明において、前記通信手段は、前記乗場ドアの両側に前記内部電波送受信手段と前記外部電波送受信手段を取付ける取付手段を有し、前記内部電波送受信手段は、前記乗場ドアと前記乗かごとの間の間隔よりも小さい大きさに設定されたことを特徴としている。
【００１３】
このように構成した本発明は、乗かごが昇降路内を昇降しても、乗かごが取付手段によって乗場ドアの内側に取付けられた内部電波送受信手段と衝突したり、あるいは接触することを防止できるので、内部電波送受信手段や乗かごが破損することを抑えることができる。これにより、内部電波送受信手段や乗かごを良好な状態で長期に渡って使用することができる。また、昇降中の乗かごが内部電波送受信手段に接触して大きく揺れることを防止できるので、乗かごに乗車している乗客に対して不安を感じさせず、快適な乗かごの運行を実現することができる。これにより、エレベータに対する高い信頼性を確保することができる。
【００１４】
また、本発明に係るエレベータ用電波中継装置は、前記発明において、前記取付手段は、前記内部電波送受信手段に設けられた第１の磁石と、前記外部電波送受信手段に設けられ、前記乗場ドアを挟んで前記第１の磁石と対向する位置に配置された第２の磁石とから成ることを特徴としている。
【００１５】
このように構成した本発明は、昇降路の内部の内部電波送受信手段と外部の外部電波送受信手段を乗場ドアを挟んで対向させた状態で乗場ドアの内側と外側にそれぞれ接触させることにより、第１の磁石と第２の磁石の磁力によって各電波送受信手段を乗場ドアの両側に固着できるので、各電波送受信手段の取付作業を容易に行うことができ、作業時間を大幅に短縮することができる。また、内部電波送受信手段と外部電波送受信手段を乗場ドアの両側から容易に取外すこともできるので、各電波送受信手段の設置場所を変更するのに手間がかからず、各電波送受信手段の電波状態を調整するのに都合が良い。従って、各電波送受信手段の設置作業及び電波の調整作業における作業能率を向上させることができる。さらに、内部電波送受信手段と外部電波送受信手段を乗場ドアに取付ける取付手段として第１の磁石と第２の磁石を適用することにより、乗場ドアを損傷させることなく各電波送受信手段を乗場ドアに固定することができる。
【００１６】
また、本発明に係るエレベータ用電波中継装置は、前記発明において、前記取付手段は、前記乗場ドアに設けられた雌螺子と、前記内部電波送受信手段と前記外部電波送受信手段とを一体に繋ぐ固定具と、この固定具に穿設された貫通孔と、この貫通孔に挿通され、前記雌螺子に螺合する雄螺子が形成された螺子とから成ることを特徴としている。
【００１７】
このように構成した本発明は、固定具によって一体に連結された内部電波送受信手段と外部電波送受信手段とを乗場ドアの内側と外側にそれぞれ接触させた状態で保持し、螺子を固定具の貫通孔に通して螺子の雄螺子を乗場ドアの雌螺子に螺合させることにより、固定具と螺子だけで各電波送受信手段を乗場ドアの両側に強固に取付けることができ、安定した固定状態を実現することができる。これにより、取付手段に要する製作コストを安価に抑えることができるので、経済性に優れている。
【００１８】
また、本発明に係るエレベータ用電波中継装置の設置方法は、昇降路と、この昇降路内を昇降する乗かごと、この乗かごが着床する乗場に設けられた出入口と、この出入口に開閉可能に設けられ、前記昇降路の内部と外部を区画する乗場ドアとを備えたエレベータに適用され、前記昇降路の内部と外部との間の通信を中継する通信手段を備え、この通信手段は、前記昇降路の内部に設けられ、前記昇降路の内部から電波を受信すると共に、前記昇降路の内部へ電波を送信する内部電波送受信手段と、前記昇降路の外部に設けられ、前記昇降路の外部から電波を受信すると共に、前記昇降路の外部へ電波を送信する外部電波送受信手段と、前記乗場ドアが閉扉した際に前記乗場ドアに挟持されるように寸法が設定され、前記内部電波送受信手段と前記外部電波送受信手段とを接続するケーブルとを有するエレベータ用電波中継装置を設置するエレベータ用電波中継装置の設置方法において、前記内部電波送受信手段を前記昇降路の内部に配置すると共に、前記外部電波送受信手段を前記昇降路の外部に配置する配置工程と、前記内部電波送受信手段及び前記外部電波送受信手段が配置された後に、前記ケーブルを前記出入口に通すと共に、前記ケーブルを前記内部電波送受信手段及び前記外部電波送受信手段に接続する接続工程と、前記内部電波送受信手段及び前記外部電波送受信手段が接続された後に、前記乗場ドアを閉じて前記ケーブルを挟持させる挟持工程とを備えたことを特徴としている。
【００１９】
このように構成した本発明は、配置工程において内部電波送受信手段を昇降路の内部に配置すると共に、外部電波送受信手段を前記昇降路の外部に配置した後に、接続工程においてケーブルを乗場の出入口に通し、ケーブルを内部電波送受信手段及び外部電波送受信手段に接続することにより、昇降路に貫通孔を設けなくてもケーブルを乗場の出入口から昇降路の内部と外部との間に挿通させることができ、設置作業を行う作業者の負担を軽減することができる。そして、内部電波送受信手段及び外部電波送受信手段が接続された後に乗場ドアを閉じてケーブルを挟持させることにより、ケーブルを安定的に保持することができる。このように、設置作業を容易に行うことができ、利便性を向上させることができる。
【発明の効果】
【００２０】
本発明のエレベータ用電波中継装置及びエレベータ用電波中継装置の設置方法は、昇降路の内部に内部電波送受信手段を設けると共に、昇降路の外部に外部電波送受信手段を設け、乗場ドアが閉扉した際に乗場ドアに挟持されるように寸法が設定されたケーブルを乗場の出入口に通して内部電波送受信手段と外部電波送受信手段に接続し、その後乗場ドアを閉扉することにより、昇降路にケーブルを通す貫通孔を設けなくても乗場ドアの戸閉力によってケーブルを安定的に保持できるので、設置作業にかかる時間と手間を省くことができ、設置作業を簡便に行うことができる。このように、設置作業を容易に行うことができ、利便性を向上させることができるので、従来よりも設置作業において優れた作業性を実現することができ、設置作業にかかる作業者の労力を軽減することができる。
【図面の簡単な説明】
【００２１】
【図１】本発明に係るエレベータ用電波中継装置の第１実施形態が適用されるエレベータの構成を説明する図である。
【図２】本発明に係るエレベータ用電波中継装置の第１実施形態の構成を示す図である。
【図３】本発明に係るエレベータ用電波中継装置の第２実施形態の構成を示す図である。
【発明を実施するための形態】
【００２２】
以下、本発明に係るエレベータ用電波中継装置及びエレベータ用電波中継装置の設置方法を実施するための形態を図に基づいて説明する。
【００２３】
［第１実施形態］
本発明に係るエレベータ用電波中継装置の第１実施形態は、例えば図１に示すように建物に設置されたエレベータに適用される。このエレベータは、昇降路２０と、この昇降路２０内を昇降する乗かご１５と、この乗かご１５が着床する乗場に設けられた図２に示す出入口２１と、この出入口２１に開閉可能に設けられ、昇降路２０の内部と外部を区画する乗場ドア５とを備えている。なお、本発明の第１実施形態では、当該建物から離れた位置に基地局１が設置されている。
【００２４】
本発明の第１実施形態は、昇降路２０の内部と外部との間の通信を中継する通信手段を備えている。この通信手段は、図１、図２に示すように昇降路２０の内部に設けられ、昇降路２０の内部から電波を受信すると共に、昇降路２０の内部へ電波を送信する内部電波送受信手段４と、昇降路２０の外部に設けられ、昇降路２０の外部から電波を受信すると共に、昇降路２０の外部へ電波を送信する外部電波送受信手段２と、乗場ドア５が閉扉した際に乗場ドア５に挟持されるように寸法が設定され、内部電波送受信手段４と外部電波送受信手段２とを接続するケーブル１４とを有している。なお、これらの内部電波送受信手段４及び外部電波送受信手段２は、図示しないバッテリ等の電源によって電力が供給されて動作するようになっている。
【００２５】
具体的には、内部電波送受信手段４は、例えば上述したバッテリ等の電源に接続され、昇降路２０の内部で作業者等が携帯する通信機器３の電波を受信すると共に、この通信機器３へ電波を送信する内部アンテナ１２と、この内部アンテナ１２に一体に取付けられ、内部アンテナ１２が受信した電波に応じた信号に変換する内部無線通信部１３ｂとを含んでいる。また、外部電波送受信手段２は、例えば上述したバッテリ等の電源に接続され、基地局１から送信された電波を受信すると共に、基地局１へ電波を送信する外部アンテナ１１と、この外部アンテナ１１に一体に取付けられ、外部アンテナ１１が受信した電波に応じた信号に変換する外部無線通信部１３ａとを含んでいる。そして、これらの内部無線通信部１３ｂ及び外部無線通信部１３ａにケーブル１４が接続されている。
【００２６】
なお、内部アンテナ１２は、例えば下面１２ａが乗場ドア５に対向するように配置された円錐台の形状に設定され、内部無線通信部１３ｂは、例えば内部アンテナ１２の下面１２ａの直径と同じ大きさの直径を有する円柱の形状に設定されており、内部アンテナ１２の下面１２ａに対して内部無線通信部１３ｂの円形状の端面１３ｂ１，１３ｂ２のうち端面１３ｂ１が合わさって一体となっている。
【００２７】
一方、外部アンテナ１１は、例えば内部アンテナ１２と同様に下面１１ａが乗場ドア５に対向するように配置された円錐台の形状に設定され、外部無線通信部１３ａは、例えば外部アンテナ１１の下面１１ａの直径と同じ大きさの直径を有する円柱の形状に設定されており、外部アンテナ１１の下面１１ａに対して外部無線通信部１３ａの円形状の端面１３ａ１，１３ａ２のうち端面１３ａ１が合わさって一体となっている。
【００２８】
また、本発明の第１実施形態では、通信手段は、乗場ドア５の両側に内部電波送受信手段４と外部電波送受信手段２を取付ける後述の取付手段を有し、内部電波送受信手段４は、乗場ドア５と乗かご１５との間の間隔よりも小さい大きさに設定されている。そして、前述した取付手段は、例えば内部電波送受信手段４に設けられた第１の磁石１６ｂと、外部電波送受信手段２に設けられ、乗場ドア５を挟んで第１の磁石１６ｂと対向する位置に配置された第２の磁石１６ａとから成っている。
【００２９】
なお、磁石１６ｂは、内部無線通信部１３ｂの端面１３ｂ２の直径と同じ大きさの直径を有する円柱の形状に設定されており、内部無線通信部１３ｂの端面１３ｂ２に対して磁石１６ｂの円形状の端面１６ｂ１，１６ｂ２のうち端面１６ｂ１が合わさって一体となっている。一方、磁石１６ａは、外部無線通信部１３ａの端面１３ａ２の直径と同じ大きさの直径を有する円柱の形状に設定されており、外部無線通信部１３ａの端面１３ａ２に対して磁石１６ａの円形状の端面１６ａ１，１６ａ２のうち端面１６ａ１が合わさって一体となっている。そして、磁石１６ａ，１６ｂの端面１６ａ２，１６ｂ２は、磁力で互いに引き合って乗場ドア５の両側に接触している。
【００３０】
ここで、乗場ドア５は、例えば昇降路２０の外部、すなわち乗場から見て左側に配置された左側ドア５Ａと、乗場から見て右側に配置された右側ドア５Ｂと、左側ドア５Ａのうち右側ドア５Ｂに対向する端面５ａに設けられた図示しないフックと、右側ドア５ｂのうち左側ドア５Ａに対向する端面５ｂに設けられ、左側ドア５Ａのフックと係合する図示しないフック受けとを有して両開きになっており、左側ドア５Ａ及び右側ドア５Ｂが閉扉した際に左側ドア５Ａのフックが右側ドア５Ｂのフック受けに係合して施錠するようになっている。
【００３１】
そして、左側ドア５Ａ及び右側ドア５Ｂが閉扉して施錠がされても左側ドア５Ａの端面５ａと右側ドア５Ｂの端面５ｂとの間には若干の隙間があるので、この隙間に合わせてケーブル１４の直径が設定されており、左側ドア５Ａ及び右側ドア５Ｂが閉扉した際にケーブル１４がこれらの左側ドア５Ａの端面５ａと右側ドア５Ｂの端面５ｂに挟持されるようになっている。なお、上述した内部電波送受信手段４及び外部電波送受信手段２は、乗場ドア５のうち右側ドア５Ｂに取付けられている。
【００３２】
このように構成した第１実施形態に係るエレベータ用電波中継装置にあっては例えば以下のようにしてエレベータに設置される。
【００３３】
本発明の第１実施形態に係るエレベータ用電波中継装置の設置方法の第１実施形態は、内部電波送受信手段４を昇降路２０の内部に配置すると共に、外部電波送受信手段２を昇降路２０の外部に配置する配置工程と、内部電波送受信手段４及び外部電波送受信手段２が配置された後に、ケーブル１４を乗場の出入口２１に通すと共に、ケーブル１４を内部電波送受信手段４及び外部電波送受信手段２に接続する接続工程と、内部電波送受信手段４及び外部電波送受信手段２が接続された後に、乗場ドア５を閉じてケーブル１４を挟持させる挟持工程とを備えている。
【００３４】
具体的には、配置工程において一体に形成された内部アンテナ１２、内部無線通信部１３ｂ、及び磁石１６ｂを昇降路２０の内部に配置すると共に、一体に形成された外部アンテナ１１、外部無線通信部１３ａ、及び磁石１６ａを昇降路２０の外部に配置し、磁石１６ａの端面１６ａ２と磁石１６ｂの端面１６ｂ２とを、右側ドア５Ｂを挟んで対向させるように右側ドア５Ｂの両側に取付ける。
【００３５】
次に、接続工程においてケーブル１４を乗場の出入口２１のうち左側ドア５Ａの端面５ａと右側ドア５Ｂの端面５ｂとの間に通し、ケーブル１４の一端を内部無線通信部１３ｂに接続すると共に、他端を外部無線通信部１３ａに接続する。そして、挟持工程において左側ドア５Ａ及び右側ドア５Ｂを閉じて各端面５ａ，５ｂにケーブル１４を挟持させる。
【００３６】
これにより、例えば図１に示すようにメンテナンス作業において乗かご１５の天井裏に上がった作業者が携帯する通信機器３が電波を発すると、内部電波送受信手段４の内部アンテナ１２が通信機器３の電波を受信し、内部無線通信部１３ｂによって受信した電波に応じた信号に変換される。その後、通信機器３の電波に相当する信号がケーブル１４を介して外部無線通信部１３ａに伝送され、外部無線通信部１３ａによって伝送された信号に応じた電波に変換される。そして、外部アンテナ１１が当該電波を送信することにより、基地局１と昇降路２０の内部とが通信可能になるので、作業者が通信機器３でエレベータが設置された建物外に位置するサービス拠点等と連絡をとることができる。
【００３７】
このように構成した本発明のエレベータ用電波中継装置の第１実施形態及びエレベータ用電波中継装置の設置方法の第１実施形態によれば、内部アンテナ１２、内部無線通信部１３ｂ、及び磁石１６ｂを右側ドア５Ｂの内側に取付けると共に、外部アンテナ１１、外部無線通信部１３ａ、及び磁石１６ａを右側ドア５Ｂの外側に取付け、ケーブル１４を乗場の出入口２１に通して各無線通信部１３ａ，１３ｂに接続して左側ドア５Ａと右側ドア５Ｂを閉扉することにより、昇降路２０のうち乗場ドア５にケーブル１４を通す貫通孔を設けなくてもケーブル１４を各ドア５Ａ，５Ｂの端面５ａ，５ｂで固定した状態で昇降路２０の内部と外部との間に挿通させることができ、設置作業にかかる時間と手間を省くことができる。
【００３８】
また、各アンテナ１１，１２、各無線通信部１３ａ，１３ｂ、及びケーブル１４をエレベータに設置した後であっても、左側ドア５Ａ及び右側ドア５Ｂを開くことによって挟持されていたケーブル１４を開放することにより、各アンテナ１１，１２の電波状態を確認しながら各アンテナ１１，１２の設置場所を自由に変更したり、あるいはケーブル１４の状態を確認できるので、各アンテナ１１，１２の電波状態の調整作業やケーブル１４の交換作業等のメンテナンス作業における作業性を高めることができる。これにより、メンテナンス作業においてエレベータの運転を停止する時間を短く抑えることができ、作業者及び乗客に対する高い利便性を確保することができる。このように、設置作業を容易に行うことができ、利便性を向上させることができるので、設置作業において優れた作業性を実現することができ、設置作業にかかる作業者の労力を軽減することができる。そして、作業者は、通信機器３によって昇降路２０の外部のサービス拠点等と通信してメンテナンス作業を行うことができるので、昇降路２０の内部から外部へ出る必要がなくなり、メンテナンス作業の高い効率性を確保することができる。
【００３９】
また、本発明のエレベータ用電波中継装置の第１実施形態は、右側ドア５Ｂの内側に取付けられた内部電波送受信手段４が右側ドア５Ｂと乗かご１５との間の間隔よりも小さい大きさに設定されているので、乗かご１５が昇降路２０内を昇降しても、乗かご１５が内部アンテナ１２と衝突したり、あるいは接触することを防止でき、内部アンテナ１２や乗かご１５が破損することを抑えることができる。これにより、内部アンテナ１２や乗かご１５を良好な状態で長期に渡って使用することができる。また、昇降中の乗かご１５が内部アンテナ１２に接触して大きく揺れることを防止できるので、乗かご１５に乗車している乗客に対して不安を感じさせず、快適な乗かご１５の運行を実現することができる。これにより、エレベータに対する高い信頼性を確保することができる。
【００４０】
また、本発明のエレベータ用電波中継装置の第１実施形態は、内部アンテナ１２、内部無線通信部１３ｂ、及び磁石１６ｂが一体となって形成され、外部アンテナ１１、外部無線通信部１３ａ、及び磁石１６ａが一体となって形成されているので、昇降路２０の内部に配置された磁石１６ｂの端面１６ｂ２と外部に配置された磁石１６ａの端面１６ａ２を、右側ドア５Ｂを挟んで対向させた状態で右側ドア５Ｂの内側と外側にそれぞれ接触させることにより、各磁石１６ａ，１６ｂの磁力によって各電波送受信手段２，４を右側ドア５Ｂの両側に固着することができる。これにより、各電波送受信手段２，４の取付作業を容易に行うことができ、作業時間を大幅に短縮することができる。
【００４１】
また、内部電波送受信手段４と外部電波送受信手段２を右側ドア５Ｂの両側から容易に取外すこともできるので、各アンテナ１１，１２の設置場所を変更するのに手間がかからず、各アンテナ１１，１２の電波状態を調整するのに都合が良い。従って、各アンテナ１１，１２の設置作業及び電波の調整作業における作業能率を向上させることができる。さらに、内部電波送受信手段４と外部電波送受信手段２を右側ドア５Ｂに取付ける取付手段として磁石１６ａ，１６ｂを適用することにより、右側ドア５Ｂを損傷させることなく各電波送受信手段２，４を右側ドア５Ｂに固定することができる。また、円錐台の内部アンテナ１２の下面１２ａと円錐台の外部アンテナ１１の下面１１ａを右側ドア５Ｂを挟んで対向させるように配置することができるので、各アンテナ１１，１２の設置スペースを低減することができる。
【００４２】
また、本発明のエレベータ用電波中継装置の第１実施形態は、上述したようにケーブル１４が左側ドア５Ａの端面５ａ及び右側ドア５Ｂの端面５ｂに挟まれることにより、左側ドア５Ａ及び右側ドア５Ｂが閉扉している状態でケーブル１４を取外し難くなる。特に、施錠された左側ドア５Ａ及び右側ドア５Ｂを開錠して開扉するためには専用の特殊治具を要するので、ケーブル１４を各ドア５Ａ，５Ｂで強固に固定することができ、内部電波送受信手段４、外部電波送受信手段２、及びケーブル１４の盗難を防止することができる。
【００４３】
［第２実施形態］
図３は本発明に係るエレベータ用電波中継装置の第２実施形態の構成を示す図である。
【００４４】
本発明に係るエレベータ用電波中継装置の第２実施形態が前述したエレベータ用電波中継装置の第１実施形態と異なるのは、第１実施形態では、取付手段は、図２に示すように内部電波送受信手段４に設けられた磁石１６ｂと、外部電波送受信手段２に設けられた磁石１６ａとから成るのに対して、第２実施形態では、取付手段は、例えば図３に示すように右側ドア５Ｂの内側の表面に設けられた図示しない雌螺子と、内部電波送受信手段４と外部電波送受信手段２とを一体に繋ぐ固定具１８と、この固定具１８に穿設された図示しない貫通孔と、この貫通孔に挿通され、雌螺子に螺合する図示しない雄螺子が形成された螺子１９とから成ることである。なお、固定具１８は、例えば金具、薄い鉄箱、あるいは鉄枠等によってコ字型の形状に形成されており、固定具１８の開口が右側ドア５Ｂの厚さよりも大きく設定されている。その他の構成はエレベータ用電波中継装置の第１実施形態と同様である。
【００４５】
このように構成した第２実施形態に係るエレベータ用電波中継装置にあっては例えば以下のようにしてエレベータに設置される。
【００４６】
本発明の第２実施形態に係るエレベータ用電波中継装置の設置方法の第２実施形態は、例えば配置工程において一体に形成された内部アンテナ１２及び内部無線通信部１３ｂを昇降路２０の内部に配置すると共に、一体に形成された外部アンテナ１１及び外部無線通信部１３ａを昇降路２０の外部に配置し、外部無線通信部１３ａの端面１３ａ２と内部無線通信部１３ｂの端面１３ｂ２とが右側ドア５Ｂを挟んで対向するように右側ドア５Ｂの両側に取付ける。そして、コ字型の固定具１８の開口に右側ドア５Ｂの端面５ｂが挿入されるように、固定具１８の一端を内部無線通信部１３ｂに溶接等で固定すると共に、他端を外部無線通信部１３ａに溶接等で固定し、螺子１９を固定具１８の貫通孔に通して螺子１９の雄螺子を右側ドア５Ｂの雌螺子に螺合する。
【００４７】
次に、接続工程においてケーブルを乗場の出入口２１のうち左側ドア５Ａの端面５ａと右側ドア５Ｂの端面５ｂとの間に通し、ケーブルの一端を内部無線通信部１３ｂに接続すると共に、他端を外部無線通信部１３ａに接続する。そして、挟持工程において左側ドア５Ａ及び右側ドア５Ｂを閉じて各端面５ａ，５ｂにケーブルを挟持させる。なお、本発明のエレベータ用電波中継装置の設置方法の第２実施形態では、ケーブルは固定具１８の下方に配置されており、図３において図示されていない。
【００４８】
このように構成した本発明のエレベータ用電波中継装置の第２実施形態及びエレベータ用電波中継装置の設置方法の第２実施形態によれば、上述したように配置工程において固定具１８で内部無線通信部１３ｂと外部無線通信部１３ａとを右側ドア５Ｂの内側と外側にそれぞれ接触させた状態で保持し、螺子１９を固定具１８の貫通孔に通して螺子１９の雄螺子を右側ドア５Ｂの雌螺子に螺合させることにより、固定具１８と螺子１９だけで各電波送受信手段２，４を右側ドア５Ｂの両側に強固に取付けることができ、安定した固定状態を実現することができる。これにより、内部電波送受信手段４及び外部電波送受信手段２を取付ける取付手段に要する製作コストを安価に抑えることができるので、経済性に優れている。また、螺子１９の雄螺子が螺合する雌螺子は、右側ドア５Ｂの内側の表面に形成されており、右側ドア５Ｂの外側の表面に設けられていないので、乗場から見た乗場ドア５における意匠性を高く保つことができる。
【００４９】
なお、上述したエレベータ用電波中継装置の各第１、第２実施形態は、乗場ドア５が左側ドア５Ａ及び右側ドア５Ｂを有する両開きになっている場合について説明したが、乗場ドアは、片開きのドアになっていても良い。また、本発明のエレベータ用電波中継装置の各第１、第２実施形態は、内部電波送受信手段４及び外部電波送受信手段２が右側ドア５Ｂに取付けられた場合について説明したが、この場合に限らず、内部電波送受信手段４及び外部電波送受信手段２は左側ドア５Ａに取付けられても良い。
【００５０】
さらに、本発明のエレベータ用電波中継装置の各第１、第２実施形態は、内部電波送受信手段４が内部アンテナ１２と内部無線通信部１３ｂから成り、外部電波送受信手段２が外部アンテナ１１と外部無線通信部１３ａから成る場合について説明したが、この場合に限らず、内部電波送受信手段４は、例えば昇降路２０の内部で作業者等が携帯する通信機器３の電波を受信すると共に、この通信機器３へ電波を送信する内部アンテナから成り、外部電波送受信手段２は、例えば基地局１から送信された電波を受信すると共に、基地局１へ電波を送信する外部アンテナから成り、無線通信部を介さずにケーブルを直接これらの各アンテナに接続することにより、一方のアンテナが電波を受信することによって誘導される信号をケーブルを介して他方のアンテナに伝送して電波を送信するようにしても良い。
【００５１】
また、本発明のエレベータ用電波中継装置の各第１、第２実施形態は、バッテリ等の電源によって内部電波送受信手段４及び外部電波送受信手段２に電力が供給された場合について説明したが、この場合に限らず、バッテリ等の電源を備える代わりに内部電波送受信手段４及び外部電波送受信手段２は、受信した電波によって誘導される電力によって動作するようにしても良い。
【符号の説明】
【００５２】
１  基地局
２  外部電波送受信手段
３  通信機器
４  内部電波送受信手段
５  乗場ドア
５Ａ  左側ドア
５Ｂ  右側ドア
５ａ，５ｂ  端面
１１  外部アンテナ
１１ａ  下面
１２  内部アンテナ
１２ａ  下面
１３ａ  外部無線通信部
１３ｂ  内部無線通信部
１３ａ１，１３ａ２，１３ｂ１，１３ｂ２，１６ａ１，１６ａ２，１６ｂ１，１６ｂ２  端面
１４  ケーブル
１５  乗かご
１６ａ，１６ｂ  磁石
１８  固定具
１９  螺子
２０  昇降路
２１  出入口
【図１】
2013035626.tif 000003
【図２】
2013035626.tif 000004
【図３】
2013035626.tif 000005